【事件の表示】
　特許第３２８１３２３号「スクリーン印刷版清浄用粘着シート」の請求項１に係る特許に対する特許異議の申立てについて、次のとおり決定する。
【結　論】
　訂正を認める。
　特許第３２８１３２３号の請求項１に係る特許を維持する。
【理　由】
１．手続の経緯
　本件特許第３２８１３２３号の請求項１に係る発明についての出願は、平成１０年１２月１４日に特許出願され、平成１４年２月２２日にその特許権の設定の登録がなされ、その特許について、リンテック株式会社より特許異議の申し立てがなされ、取消理由通知がなされ、その指定期間内である平成１５年６月６日に訂正請求がなされたものである。
　　　
２．訂正の適否
（１）訂正の内容
　特許権者の求めている訂正の内容は、以下のとおりである（訂正箇所にアンダーラインを付した。）。
　ａ．訂正事項ａ
　特許請求の範囲の
「【請求項１】基材と、該基材の少なくとも片方の面に形成された粘着剤層とで構成されているスクリーン印刷版清浄用粘着シートであって、使用前の粘着力が、ＪＩＳ　Ｚ　０２３７に準拠した測定法で、１〜４００ｇｆ／２５ｍｍであり、スクリーン印刷インキ用溶剤に１秒間浸漬した時の粘着剤層の該溶剤吸収量が５ｇ／ｍ２以上であり、且つ該溶剤を５ｇ／ｍ２吸収した後の粘着力が、前記測定法で、１ｇｆ／２５ｍｍ以上であることを特徴とするスクリーン印刷版清浄用粘着シート。」
を、
　「【請求項１】基材と、該基材の少なくとも片方の面に形成された粘着剤層
（ただし、発泡粘着剤層を除く。）
３
ジエチレングリコールモノブチルエーテルアセテートとジエチレングリコールモノブチルエーテル［９／１（重量比）］からなる
３
と訂正する。
ｂ．訂正事項ｂ      
　段落【０００７】の２行目の「粘着剤層」を「粘着剤層
（ただし、発泡粘着剤層を除く。）
ｃ．訂正事項ｃ
　段落【０００７】及び【００１３】における「１〜４００ｇｆ／２５ｍｍ」を、「
３
ｄ．訂正事項ｄ
　段落【０００７】及び【００１３】における「スクリーン印刷インキ用溶剤」を、「
ジエチレングリコールモノブチルエーテルアセテートとジエチレングリコールモノブチルエーテル［９／１（重量比）］からなる
ｅ．訂正事項ｅ
　段落【０００７】、【００１３】及び【００２１】における「１ｇｆ／２５ｍｍ以上」を、「
３
ｆ．段落【００１８】における「溶剤を５ｇ／ｍ２吸収させた後の粘着力は、前記測定法で、１ｇｆ／２５ｍｍ以上あれば良いが、より好ましくは３ｇｆ／２５ｍｍ以上である。」を、「溶剤を５ｇ／ｍ２吸収させた後の粘着力は、前記測定法で、３ｇｆ／２５ｍｍ以上である。」と訂正する。
　　
（２）訂正の目的の適否、新規事項の有無及び拡張・変更の存否
　上記訂正事項ａの「粘着剤層」に関して、願書に添付した明細書（以下、特許明細書という。）には、「実施例１　・・・ポリエチレンフィルム（基材）の片面に、アクリル系粘着剤［ブチルアクリレート／アクリロニトリル／アクリル酸（重量比：９０／１０／２）の共重合体１００重量部＋イソシアネート系架橋剤１５重量部］を、乾燥後の厚みが１０μｍとなるように塗布し、乾燥して、粘着シートを作製した。・・・実施例２　・・・ブレンドフィルム（基材）の片面に、アクリル系粘着剤［ブチルアクリレート／アクリロニトリル／アクリル酸（重量比：９０／１０／２）の共重合体１００重量部＋テルペンフェノール系粘着付与剤７重量部＋イソシアネート系架橋剤３重量部＋リン酸エステル系界面活性剤１重量部］を、乾燥後の厚みが５μｍとなるように塗布し、乾燥して、粘着シートを作製した。・・・実施例３　・・・ポリエチレンフィルム（基材）の片面に、アクリル系粘着剤［２−エチルヘキシルアクリレート／酢酸ビニル／アクリル酸（重量比：６０／３０／５）の共重合体１００重量部＋テルペンフェノール系粘着付与剤３０重量部＋イソシアネート系架橋剤７重量部＋リン酸エステル系界面活性剤１重量部］を、乾燥後の厚みが１５μｍとなるように塗布し、乾燥して、粘着シートを作製した。」（段落【００２４】〜【００２６】参照。）と記載されていて、当該記載から、これらの粘着シートの粘着剤層が発泡粘着剤層でないことは明らかである。
　また、同じく、「使用前の粘着力」及び「溶剤を５ｇ／ｍ２吸収させた後の粘着力」に関して、特許明細書には、「本発明の粘着シートの使用前の粘着力の上限は、前記測定法で、好ましくは３００ｇｆ／２５ｍｍであり、下限は、好ましくは３ｇｆ／２５ｍｍである。・・・溶剤を５ｇ／ｍ２吸収させた後の粘着力は、前記測定法で、１ｇｆ／２５ｍｍ以上あれば良いが、より好ましくは３ｇｆ／２５ｍｍ以上である。」（段落【００１６】〜【００１８】参照）と記載されている。
　さらに、「実施例１　・・・ジエチレングリコールモノブチルエーテルアセテート／ジエチレングリコールモノブチルエーテル［９／１（重量比）］（溶剤）」（段落【００２４】参照）と記載されている。
　したがって、上記訂正事項ａは、特許明細書又は図面に記載されていた範囲内で、特許請求の範囲の請求項１において、その「粘着剤層」、「使用前の粘着力」、「スクリーン印刷インキ用溶剤」及び「溶剤を５ｇ／ｍ２吸収した後の粘着力」について限定することにより特許請求の範囲の減縮を目的とするものである。
　また、上記訂正事項ｂ乃至ｆは、上記訂正事項ａに伴い、特許請求の範囲の記載と発明の詳細な説明の記載との整合を図るため、発明の詳細な説明の記載を訂正したものであるから、明りょうでない記載の釈明を目的とするものである。
　さらに、上記訂正事項ａ乃至ｆは、実質的に特許請求の範囲を拡張変更するものでない。
　　
（３）むすび
　以上のとおりであるから、上記訂正は、特許法第１２０条の４第２項及び同条第３項において準用する特許法第１２６条第２項、３項の規定に適合するので、当該訂正を認める。
　　　　
３．特許異議申し立てについての判断
（１）申立の理由の概要
  特許異議申立人リンテック株式会社は、甲第１号証（特開平１０−２５００４３号公報）、甲第２号証（日本スクリーン印刷技術協会編集委員会編集「新版スクリーン印刷ハンドブック」、日本スクリーン印刷技術協会、昭和６３年１月３１日発行、ｐ２３５〜２３７）、甲第３号証（特開平７−２０１２８１号公報）、甲第４号証（実験者がリンテック株式会社研究所の須美崇二と篠田智則である平成１４年１１月７日付実験報告書）、甲第５号証（特開平１０−１８０９９１号公報）及び甲第６号証（実験者がリンテック株式会社研究所の須美崇二と篠田智則である平成１４年１１月８日付実験報告書）を提出し、本件請求項１に係る発明は、上記甲第１号証または甲第５号証に記載された発明と同一またはこれらの発明から当業者が用に成し遂げることができた発明であるから、本件請求項１に係る発明の特許は、特許法第２９条の規定に違反してなされている旨の主張（主張Ａ）をすると共に、本件請求項１の記載は、特許を受けようとする発明が明確であることとする特許法第３６条第６項第２号に適合していない旨の主張（主張Ｂ）をしている。
　　　
（２）本件発明
　本件請求項１に係る発明（以下、「本件発明」という。）は、上記訂正によって訂正された明細書の特許請求の範囲の請求項１に記載された事項により特定されるとおりのものである（上記訂正事項ａ参照。）。       
　　　　
（３）主張Ａについての判断
　ア．各甲号証に記載された発明
　上記各号証には、本件発明に関連する事項として、以下のような事項が記載されている。
　ａ．甲第１号証：特開平１０−２５００４３号公報
「このようなスクリーン印刷方法と装置では、スクリーン１２を用いて順次繰り返し印刷する動作の中で、・・・清掃用シート１７上にスクリーン１２を用いて印刷を行うため、スクリーン１２の下面は孔に付着した汚れ等が、印刷ペーストと共に清掃用シート１７上に接着する。そして、清掃用シート１７を第二の印刷テーブル７上に密着させておくことによって、スクリーン１２を清掃用シート１７から容易に版離れさせることが出来る。このとき、スクリーン１２に付着している汚れが清掃用シート１７に貼り付いたまま剥ぎ取られる。このため完全に、しかも汚れを他に転移させることなく、スクリーン１２をクリーニングすることが出来る。特に、清掃用シートとして粘着シートを使用し、この粘着面上にスクリーンを用いて印刷する場合は、固まった印刷ペーストのカスや塵が、粘着面に強固に接着した状態でスクリーンの孔の周囲から剥がされるので、クリーニング効果極めて高い。」（段落【００１０】）、  
「清掃用シート１７は、クリーンルーム用低発塵ペーパやポリエチレンテレフタレート（ＰＥＴ）フィルム等の高分子フィルム、或いはそれらを基材とし、その片面に粘着剤を薄く且つ均一に塗布したものである。例えば、日立化成株式会社製のヒタレックスＧＰ−５や日東電工株式会社製のＳ．Ｐ．Ｖ．等の幅広粘着テープを使用することが出来る。」（段落【００１７】）
　　
  ｂ．甲第２号証：日本スクリーン印刷技術協会編集委員会編集「新版スクリーン印刷ハンドブック」、日本スクリーン印刷技術協会、昭和６３年１月３１日発行、ｐ２３５〜２３７
　スクリーンインキの主な溶剤として、キシレン、酢酸ブチル、シクロヘキサン、イソホロンを使用すること。       
　　　
　ｃ．甲第３号証：特開平７−２０１２８１号公報
　スクリーン印刷ペースト用溶剤として、ジエチレングリコールモノエチルエーテルアセテート、ジプロピレングリコールものメチルエーテル、ジエチレングリコールモノエチルエーテルとして使用すること。　　
　　　
　ｄ．甲第４号証：実験者がリンテック株式会社研究所の須美崇二と篠田智則である平成１４年１１月７日付実験報告書）
　日東電工株式会社製のＳ．Ｐ．Ｖ．（Ａ−３６０）の幅広粘着テープの使用前の粘着力、ジエチレングリコールモノブチルエーテルアセテートとジエチレングリコールモノブチルエーテル［９／１（重量比）］からなるスクリーン印刷インキ用溶剤に１秒間浸積した時の該溶剤吸収量及び該溶剤を５ｇ／ｍ２吸収した後の粘着力が、それぞれ、ＪＩＳ　Ｚ　０２３７に準拠した測定法で、１００ｇｆ／２５ｍｍ、１９．６ｇ／ｍ２、及び、前記測定法で、１．０ｇｆ／２５ｍｍであること。
　　
　ｅ．甲第５号証：特開平１０−１８０９９１号公報
  「この発明に係るスクリーン裏拭き装置は、スクリーン印刷に用いるスクリーンの裏面に粘着して、スクリーン印刷後にスクリーンの裏面に残留するペーストを除去するための粘着フィルムを備えたことを特徴とする。」（段落【００１６】参照）、
「図７は、粘着フィルム４０２がスクリーン裏面２９１のペースト１５０を引き剥がす状態を示している。粘着フィルム４０２は、粘着力を有しているため、ペースト１５０を容易に除去することができる。」（段落【００３７】参照）、
「粘着フィルム４０２は、ゴム系エラストマーやアクリル樹脂のような粘着剤をセロハン、ポリ塩化ビニルフィルム、織布などの生地に塗布して作られる。粘着剤は、同種又は異種の物体を張り合わせるために使用される物質であり、一時的接着に用いられる。・・・接着トルクが強すぎる場合には、粘着フィルム４０２とスクリーン裏面２９１が剥がれにくくなり、スクリーン裏面２９１を痛める恐れがある。逆に、接着トルクが小さい場合には、ペースト１５０を効率よく除去することができない。本発明においては、接着トルクが１００ｇ前後が最適であると考えているが、接着トルクが５０ｇ〜２００ｇ程度の範囲であっても十分な効果を有していると考えている。また、本発明においては、発泡粘着剤を用いることが最適であると考えている。発泡粘着剤とは、粘着剤の中に多数の気泡が分散して存在している粘着剤をいう。例えば、日東電工株式会社製の品名Ｆ１０００の粘着テープを用いるのがよい。」（段落【００３９】参照）
　　　
　ｆ．甲第６号証：実験者がリンテック株式会社研究所の須美崇二と篠田智則である平成１４年１１月８日付実験報告書
　日東電工株式会社製の品名Ｆ１０００の粘着テープの使用前の粘着力、ジエチレングリコールモノブチルエーテルからなるスクリーン印刷インキ用溶剤に１秒間浸積した時の該溶剤吸収量及び該溶剤を５ｇ／ｍ２吸収した後の粘着力が、それぞれ、ＪＩＳ　Ｚ　０２３７に準拠した測定法で、５ｇｆ／２５ｍｍ、１５．５ｇ／ｍ２、及び、前記測定法で、３．３ｇｆ／２５ｍｍであること。
　　　
　イ．対比判断
　本件発明と上記刊行物１及び２に記載された発明とを対比すると、上記刊行物１及び２のいずれにも、本件発明の特定事項である、
『ジエチレングリコールモノブチルエーテルアセテートとジエチレングリコールモノブチルエーテル［９／１（重量比）］からなるスクリーン印刷インキ用溶剤を５ｇ／ｍ２吸収した後の粘着力が、ＪＩＳ　Ｚ　０２３７に準拠した前記測定法で、３ｇｆ／２５ｍｍ以上であるスクリーン印刷版清浄用粘着シート』
について、記載も示唆もされていない。
　因みに、刊行物１には、日東電工株式会社製のＳ．Ｐ．Ｖ．等の幅広粘着テープを、スクリーン印刷版清浄用粘着シートとして使用することが、また、刊行物２には、粘着剤の中に多数の気泡が分散して存在している、日東電工株式会社製の品名Ｆ１０００の粘着テープを、スクリーン印刷版清浄用粘着シートとして使用することが、それぞれ、記載されている。
　そして、甲第４号証及び甲第６号証に依れば、日東電工株式会社製のＳ．Ｐ．Ｖ．（Ａ−３６０）等の幅広粘着テープのジエチレングリコールモノブチルエーテルアセテートとジエチレングリコールモノブチルエーテル［９／１（重量比）］からなるスクリーン印刷インキ用溶剤を５ｇ／ｍ２吸収した後の粘着力が、１．０ｇｆ／２５ｍｍであり、日東電工株式会社製の品名Ｆ１０００の粘着テープのジエチレングリコールモノエチルエーテルからなるスクリーン印刷インキ溶剤を５ｇ／ｍ２吸収した後の粘着力が、３．３ｇｆ／２５ｍｍとなっている。
　したがって、刊行物１及び刊行物２にそれぞれ例として記載されている粘着テープが上記『』内の要件を満たすものでない。   
　しかも、刊行物１に記載の発明及び刊行物２記載の発明は、スクリーン印刷版清浄用粘着シート粘着剤層の溶剤吸収量及び溶剤吸収後の粘着力に着目するものでない。
　そして、本件発明は上記『』内の事項を構成要件とすることにより、本件明細書に記載された「粘着シートをスクリーン版の裏側に貼り付けることにより、スクリーン版の裏側に裏回りしたペースト中の溶剤をほとんど吸収でき、該ペーストを固形物化することができる。さらに、粘着シートを剥がした時に、溶剤を吸収された後の固形物が粘着シート側に付着してとれてくるためクリーニング効果が高い」（段落【００２１】参照）という作用効果を奏するものである。
　したがって、本件発明は、上記刊行物１または刊行物２に記載された発明と同一といえないばかりでなく、これらの発明から当業者が容易に発明をすることができたものとすることができない。
　ゆえに、申立人の上記主張Ａは採用することができない。
　　　
（４）主張Ｂについての判断
　申立人は、本件特許請求の範囲の請求項１の記載は、下記の点で明確でないとしている。
　　　　　　　　　　　　　　　　　記
　ア．請求項１における「スクリーン印刷インキ用溶剤に１秒間浸漬した時の粘着剤層の該溶剤吸収量が５ｇ／ｍ２以上であり、且つ該溶剤を５ｇ／ｍ２吸収した後の粘着力が、前記測定法で、１ｇｆ／２５ｍｍ以上である」という規定は、印刷インキ溶剤との関係で規定されたものであるに拘わらず、印刷インキ溶剤が、当該請求項１において特定されていない。
　　　
　イ．本件特許明細書に記載された本件発明の実施例の使用前の粘着力はいずれも下限値からみて１４０、１５０、１３０ｇｆ／ｍｍと非常に高い値であり、一方溶剤吸収後の粘着力はそれぞれ５、３、３２ｇｆ／ｍｍであり、溶剤吸収による大幅な低下が認められる。
　それなのに、本件特許請求の範囲の請求項１の記載では、使用前の粘着力が、ＪＩＳ　Ｚ　０２３７に準拠した測定法で、１〜４００ｇｆ／２５ｍｍであると規定され、一方で、該溶剤を５ｇ／ｍ２吸収した後の粘着力が、前記測定法で、１ｇｆ／２５ｍｍ以上であると規定され、すなわち、溶剤吸収前後において吸収後でその上限値が規定されていないこと以外その粘着力の規定範囲が１ｇｆ／ｍｍ以上と一致している。
　　　　
　以下、検討するに、ア．の点は、上記訂正により明確になり、イ．の点については、上記訂正により、使用前の粘着力が、ＪＩＳ　Ｚ　０２３７に準拠した測定法で、３〜４００ｇｆ／２５ｍｍであると規定され、該溶剤を５ｇ／ｍ２吸収した後の粘着力が、前記測定法で、３ｇｆ／２５ｍｍ以上であると規定された。
　そして、当該既定の条件が本件発明の作用効果を奏するのに十分であること、及び、溶剤吸収前後の粘着力にさほど相違のない粘着剤層が世の中に全く存在しないとはいえないことから、粘着剤層の、溶剤吸収前後における粘着力の規定範囲の下限値が３ｇｆ／ｍｍ以上と一致していることだけから、本件請求項１の記載が明確でないとはいえない。
　したがって、申立人の上記主張Ｂも採用することができない。
　　
（５）むすび
　以上のとおりであるから、特許異議申し立ての理由及び証拠方法によっては、本件請求項１に係る発明についての係る特許を取り消すことができない。
　また、他に本件請求項１に係る発明についての特許を取り消すべき理由を発見しない。
　よって、結論のとおり決定する。　
【異議決定日】
平成１５年８月７日（２００３．８．７）
【訂正の要旨】
審決（決定）の【理由】欄参照。
（５４）【発明の名称】
スクリーン印刷版清浄用粘着シート
（５７）【特許請求の範囲】
　【請求項１】　基材と、該基材の少なくとも片方の面に形成された粘着剤層
（但し、発泡粘着剤層を除く。）
３
ジエチレングリコールモノブチルエーテルアセテートとジエチレングリコールモノブチルエーテル［９／１（重量比）］からなる
３
【発明の詳細な説明】
　【０００１】
　【発明の属する技術分野】
　本発明は、スクリーン印刷の際にスクリーン印刷版の裏側に裏回りしたペースト（インキ）を除去する清浄用粘着シートに関する。
　【０００２】
　【従来の技術】
　スクリーン印刷において、一定の印刷回数を経ると、スクリーン印刷版にペースト（インキ）が裏回りして被印刷物を汚染したり、印刷画像に滲みが生じて、正確で美麗な印刷ができない状態となる。従来、このようなスクリーン印刷時の滲み等を防止するために、版の裏側に裏回りしたペーストを粘着シートを用いて除去する方法が知られている。
　【０００３】
　例えば、特開平３−７４８９３号公報には、プリント配線板のスクリーン印刷方法として、粘着シートの粘着面にスクリーン印刷することにより版の裏に回ったペーストを除去する方法が開示されている。また、特開平６−２９７６８１号公報にも、粘着シートを版に付着させるとともに、これを剥がすことにより、裏回りしたペーストを除去する方法が記載されている。この方法は溶剤を用いてウエスや紙で拭き取る方法に比べ、ウエスや紙から発生するゴミやほこりなどの影響がなく、ゴミやほこりによる印刷不良を防止できるとしている。しかし、前記文献には、裏回りしたペーストの除去に用いる粘着シートに関する記述はほとんどなく、わずかに特開平３−７４８９３号公報に、適切なフィルムの厚みと粘着力の記述があるのみである。
　【０００４】
　そこで、本発明者らは、実際に粘着シートを使用して裏回りしたペーストの除去を試みたが、一般に使用されている粘着テープや粘着シートでは、いずれも期待した効果が得られなかった。例えば、ある粘着シートでは、粘着面にペーストが付着するものの、スクリーン版の裏側にペーストが残っており、スクリーン版と粘着シートの間でペーストが凝集破壊したような状況を呈していた。また、別の粘着シートでは、粘着層がペースト中の溶剤を吸収して粘着力が消失し、溶剤を吸い取られた後のペーストのカス（かたまり）がスクリーン版の裏に固着していた。さらに別の粘着シートでは、ペーストは除去できるものの、粘着力が強すぎるためにスクリーン版から剥がすのが困難である上、スクリーン版の乳剤が版から引き剥がされてしまうという不具合が起こった。
　【０００５】
　【発明が解決しようとする課題】
　従って、本発明の目的は、スクリーン版の乳剤等を脱離させることなく、スクリーン版の裏側に裏回りしたペーストを確実に付着させて除去できるクリーニング効果の高いスクリーン印刷版清浄用シートを提供することにある。
　【０００６】
　【課題を解決するための手段】
　本発明者は前記目的を達成するために鋭意検討した結果、スクリーン印刷インキ用溶剤に対する吸収量が一定値以上であり、且つ前記溶剤の吸収前後の粘着力が特定の範囲となるような粘着剤層を有する粘着シートを用いると、スクリーン版の裏側に裏回りしたペースト（インキ）を確実に付着させて除去できることを見いだし、本発明を完成した。
　【０００７】
　すなわち、本発明は、基材と、該基材の少なくとも片方の面に形成された粘着剤層
（但し、発泡粘着剤層を除く。）
３
ジエチレングリコールモノブチルエーテルアセテートとジエチレングリコールモノブチルエーテル［９／１（重量比）］からなる
３
　【０００８】
　【発明の実施の形態】
　本発明の粘着シートの基材としては特に制限はないが、ポリエチレンフィルム、ポリプロピレンフィルム等のポリオレフィン系フィルム；ポリエチレンテレフタレートフィルム等のポリエステルフィルムなどのプラスチックフィルムが紙粉の発生のおそれがなく好適に使用される。
　【０００９】
　基材の厚みも特に制限されず、強度や作業性などを考慮して適宜設定できるが、一般には１０〜５００μｍ、好ましくは１２〜２００μｍ、更に好ましくは１５〜１００μｍ程度である。
　【００１０】
　本発明の粘着シートの粘着剤層を構成する粘着剤としては、本発明の上記特性が得られるものであれば特に制限はなく、例えば、ゴム系（例えば、天然ゴム系、スチレン−ブタジエン共重合体系、ポリイソブチレン系、スチレン−イソプレン−スチレン共重合体系など）、アクリル系（例えば、アクリル酸Ｃ２−１０アルキルエステルを主構成モノマーとするアクリル酸エステル共重合体）など、任意の粘着剤が使用できる。
　【００１１】
　粘着剤層には、種々の添加剤、例えば、架橋剤、可塑剤、酸化防止剤、着色剤、帯電防止剤、充填剤、粘着付与剤などが含まれていてもよい。
　【００１２】
　粘着剤層の厚みは、本発明の上記特性が得られる範囲で任意に設定でき、例えば５〜５０００μｍ程度、好ましくは１０〜２０００μｍ程度である。
　【００１３】
　本発明の重要な特徴は、粘着シートが以下の特性を有している点にある。すなわち、（ｉ）使用前の粘着力が、ＪＩＳ　Ｚ　０２３７に準拠した測定法で、
３
ジエチレングリコールモノブチルエーテルアセテートとジエチレングリコールモノブチルエーテル［９／１（重量比）］からなる
３
　【００１４】
　なお、上記粘着力は、試験板としてＳＵＳ４３０ＢＡを用い、粘着シートを試験板に圧着して１分後に測定したときの値である。また、溶剤吸収量は、３０〜５０ｍｍ四方に切り取って予め重さを測定した粘着シートサンプルを、スクリーン印刷インキ用溶剤に１秒間浸漬して取り出し、即座にシート表面に付着している溶剤をウエスで拭き取り、再度重さを測定し、単位面積当たりの重さの増加量を算出することにより求められる。
　【００１５】
　前記スクリーン印刷インキ用溶剤としては、例えば、ミネラルスピリットなどの脂肪族炭化水素；キシレン、ソルベントナフサ、テトラリン、ジペンテンなどの芳香族炭化水素；シクロヘキシルアルコール、２−メチルシクロヘキシルアルコール、トリデシルアルコールなどのアルコール；酢酸ブチルなどのエステル；シクロヘキサノン、メチルシクロヘキサノン、ジアセトンアルコール、イソホロンなどのケトン；エチレングリコール、プロピレングリコール、ジエチレングリコール、トリエチレングリコール、ジプロピレングリコールなどのグリコール；ブチルセロソルブ、プロピレングリコールモノメチルエーテル、プロピレングリコールモノエチルエーテル、プロピレングリコールモノブチルエーテル、ジエチレングリコールモノブチルエーテルなどのグリコールエーテル；ブチルセロソルブアセテート、プロピレングリコールモノメチルエーテルアセテート、プロピレングリコールモノエチルエーテルアセテート、ジエチレングリコールモノブチルエーテルアセテートなどのグリコールエーテルエステルなどが挙げられる。スクリーン印刷インキには、中沸点溶剤（沸点：約１２０〜２３０℃）や高沸点溶剤（沸点：約２３０〜３２０℃）が多く用いられる。前記溶剤吸収量を測定する際に用いる代表的な溶剤は、ジエチレングリコールモノブチルエーテルアセテート、ジエチレングリコールモノブチルエーテルなど（例えば、ジエチレングリコールモノブチルエーテルアセテート／ジエチレングリコールモノブチルエーテル［９／１（重量比）］）である。
　【００１６】
　本発明の粘着シートの使用前の粘着力の上限は、前記測定法で、好ましくは３００ｇｆ／２５ｍｍであり、下限は、好ましくは３ｇｆ／２５ｍｍである。使用前の粘着力が４００ｇｆ／２５ｍｍを超えると、スクリーン版から粘着シートが剥がしにくくなりスクリーン版から乳剤を引き剥がしたり、繰り返し作業することでスクリーンが伸びて印刷不良を起こすおそれがある。また、使用前の粘着力が１ｇｆ／２５ｍｍ未満では、裏回りしたペーストが粘着面に付着しにくく、所望のクリーニング効果が得られない。
　【００１７】
　前記溶剤吸収量は、５ｇ／ｍ２以上あれば十分な効果が得られるが、６ｇ／ｍ２以上あるのがより好ましく、さらに好ましくは７ｇ／ｍ２以上である。
　【００１８】
　溶剤を５ｇ／ｍ２吸収させた後の粘着力は、前記測定法
で、３
　【００１９】
　粘着シートの前記溶剤吸収前後における粘着力、及び溶剤吸収量は、粘着剤層を構成する粘着剤（樹脂）の構成モノマーの種類や割合、架橋剤の種類や割合、ガラス転移温度、平均分子量、粘着剤層の厚みなどを適宜選択することにより調整できる。
　【００２０】
　本発明の粘着シートは、コーティング法などの慣用の方法を用いて、基材上に粘着剤層を形成することにより製造できる。
　【００２１】
　本発明の粘着シートによれば、使用前における粘着力が４００ｇｆ／２５ｍｍ以下であるので、スクリーン版から乳剤を引き剥がしたり、スクリーンを伸長させて印刷不良を引き起こすということがない。また、スクリーン印刷に使用するペースト（インキ）に含まれる溶剤を５ｇ／ｍ２以上吸収できるため、粘着シートをスクリーン版の裏側に貼り付けることにより、スクリーン版の裏側に裏回りしたペースト中の溶剤をほとんど吸収でき、該ペーストを固形物化することができる。さらに、本粘着シートによれば、溶剤を所定量吸収した後も
３
　【００２２】
　【発明の効果】
　本発明のスクリーン印刷版清浄用粘着シートによれば、粘着剤層の溶剤吸収量が一定値以上であり、しかも溶剤吸収前後の粘着力が特定の範囲にあるので、スクリーン版の乳剤等を脱離させることなく、スクリーン版の裏側に裏回りしたペーストを確実に付着させて除去できる。そのため、滲みによる印刷不良を軽減することができ、生産性を向上できる。
　【００２３】
　【実施例】
　以下に、実施例に基づいて本発明をより詳細に説明するが、本発明はこれらの実施例により限定されるものではない。
　【００２４】
実施例１
　厚さ０．０６ｍｍのポリエチレンフィルム（基材）の片面に、アクリル系粘着剤［ブチルアクリレート／アクリロニトリル／アクリル酸（重量比：９０／１０／２）の共重合体１００重量部＋イソシアネート系架橋剤１５重量部］を、乾燥後の厚みが１０μｍとなるように塗布し、乾燥して、粘着シートを作製した。この粘着シートの使用前の粘着力を、ＪＩＳ　Ｚ　０２３７に準拠した測定法（但し、試験板としてＳＵＳ４３０ＢＡを用い、粘着シートを試験板に圧着して１分後に測定）により測定したところ、１４０ｇｆ／２５ｍｍであった。また、この粘着シートを３０ｍｍ×３０ｍｍの大きさにカットし、重さを測定した後、ジエチレングリコールモノブチルエーテルアセテート／ジエチレングリコールモノブチルエーテル［９／１（重量比）］（溶剤）に１秒間浸漬して取り出し、即座にシート表面に付着している溶剤をウエスで拭き取り、再度重さを測定し、単位面積当たりの溶剤吸収量を算出したところ、１０ｇ／ｍ２であった。さらに、ポリエチレンテレフタレートフィルムに前記溶剤をワイヤーバーで５ｇ／ｍ２塗布し、これに上記と同じ大きさの粘着シートを貼り合わせて、該粘着シートの粘着剤層に溶剤を５ｇ／ｍ２吸収させた後、上記と同様にして粘着力を測定したところ、５ｇｆ／２５ｍｍであった。一定回数使用してペースト（プラズマディスプレイパネル製造時に使用する蛍光体ペースト）が裏回りしたスクリーン印刷版の裏側に、上記の粘着シートを貼り付けて剥がすという操作を行った。その結果、スクリーン版からの剥離性に優れるとともに、裏回りしたペーストを余すところなくきれいに除去することができた。
　【００２５】
実施例２
　厚さ０．０４ｍｍのポリプロピレン／ポリエチレン（重量比：９０／１０）ブレンドフィルム（基材）の片面に、アクリル系粘着剤［ブチルアクリレート／アクリロニトリル／アクリル酸（重量比：９０／１０／２）の共重合体１００重量部＋テルペンフェノール系粘着付与剤７重量部＋イソシアネート系架橋剤３重量部＋リン酸エステル系界面活性剤１重量部］を、乾燥後の厚みが５μｍとなるように塗布し、乾燥して、粘着シートを作製した。この粘着シートの使用前の粘着力、溶剤吸収量及び溶剤吸収後の粘着力を実施例１と同様にして測定したところ、それぞれ、１５０ｇｆ／２５ｍｍ、１７ｇ／ｍ２、３ｇｆ／２５ｍｍであった。一定回数使用してペースト（プラズマディスプレイパネル製造時に使用する蛍光体ペースト）が裏回りしたスクリーン印刷版の裏側に、上記の粘着シートを貼り付けて剥がすという操作を行った。その結果、スクリーン版からの剥離性に優れるとともに、裏回りしたペーストを余すところなくきれいに除去することができた。
　【００２６】
実施例３
　厚さ０．０６ｍｍのポリエチレンフィルム（基材）の片面に、アクリル系粘着剤［２−エチルヘキシルアクリレート／酢酸ビニル／アクリル酸（重量比：６０／３０／５）の共重合体１００重量部＋テルペンフェノール系粘着付与剤３０重量部＋イソシアネート系架橋剤７重量部＋リン酸エステル系界面活性剤１重量部］を、乾燥後の厚みが１５μｍとなるように塗布し、乾燥して、粘着シートを作製した。この粘着シートの使用前の粘着力、溶剤吸収量及び溶剤吸収後の粘着力を実施例１と同様にして測定したところ、それぞれ、１３０ｇｆ／２５ｍｍ、１９ｇ／ｍ２、３２ｇｆ／２５ｍｍであった。一定回数使用してペースト（プラズマディスプレイパネル製造時に使用する蛍光体ペースト）が裏回りしたスクリーン印刷版の裏側に、上記の粘着シートを貼り付けて剥がすという操作を行った。その結果、スクリーン版からの剥離性に優れるとともに、裏回りしたペーストを余すところなくきれいに除去することができた。
　【００２７】
比較例１
　厚さ０．０６ｍｍのポリエチレンフィルム（基材）の片面に、アクリル系粘着剤［ブチルアクリレート／アクリル酸（重量比：９６／４）の共重合体１００重量部＋ロジン系粘着付与剤８重量部＋エポキシ系架橋剤５重量部］を、乾燥後の厚みが１０μｍとなるように塗布し、乾燥して、粘着シートを作製した。この粘着シートの使用前の粘着力、溶剤吸収量及び溶剤吸収後の粘着力を実施例１と同様にして測定したところ、それぞれ、１１０ｇｆ／２５ｍｍ、９ｇ／ｍ２、０ｇｆ／２５ｍｍであった。一定回数使用してペースト（プラズマディスプレイパネル製造時に使用する蛍光体ペースト）が裏回りしたスクリーン印刷版の裏側に、上記の粘着シートを貼り付けて剥がすという操作を行った。その結果、スクリーン版からの剥離性については問題がなかったものの、スクリーン版の裏側にペーストが残っていた。
　【００２８】
比較例２
　厚さ０．０４ｍｍのポリプロピレン／ポリエチレン（重量比：９０／１０）ブレンドフィルム（基材）の片面に、粘着剤としてポリイソブチレンを、乾燥後の厚みが７μｍとなるように塗布し、乾燥して、粘着シートを作製した。この粘着シートの使用前の粘着力、溶剤吸収量及び溶剤吸収後の粘着力を実施例１と同様にして測定したところ、それぞれ、５００ｇｆ／２５ｍｍ、１ｇ／ｍ２、０ｇｆ／２５ｍｍであった。一定回数使用してペースト（プラズマディスプレイパネル製造時に使用する蛍光体ペースト）が裏回りしたスクリーン印刷版の裏側に、上記の粘着シートを貼り付けて剥がすという操作を行った。その結果、スクリーン版からの剥離性及び裏回りしたペーストの除去性の何れの点でも劣っていた。